(57)【要約】【課題】印刷物の正当性を高精度で確認することが可能な印刷物を製造する印刷物製造装置を提供する。【解決手段】印刷媒体に印刷される記号情報の一部または全部を記録媒体に記憶し、印刷媒体に印刷される記号情報の一部または全部の情報と記録媒体に印刷される画像情報とに基づいて、画像情報に記号情報の一部または全部の情報が電子透かし情報として含まれた電子透かし画像情報を生成し、生成された電子透かし画像情報に基づいて、印刷媒体に印刷する。【選択図】  図１
2004202766.tif 000002
【特許請求の範囲】
【請求項１】
情報を記憶する記録媒体が設けられる印刷媒体に印刷を行い、印刷物を製造する印刷物製造装置であって、
前記印刷媒体に印刷される記号情報の一部または全部を前記記録媒体に記憶する記号情報書き込み部
を有することを特徴とする印刷物製造装置。
【請求項２】
情報を記憶する記録媒体が設けられる印刷媒体に印刷を行い、印刷物を製造する印刷物製造装置であって、
前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成する電子透かし画像情報生成部と、
前記電子透かし画像情報生成部が生成した電子透かし画像情報に基づいて、前記印刷媒体に印刷する印刷部と
を有することを特徴とする印刷物製造装置。
【請求項３】
情報を記憶する記録媒体が設けられる印刷媒体に印刷を行い、印刷物を製造する印刷物製造装置であって、
前記印刷媒体に印刷される記号情報の一部または全部を前記記録媒体に記憶する記号情報書き込み部と、
前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成する電子透かし画像情報生成部と、
前記電子透かし画像情報生成部が生成した電子透かし画像情報に基づいて、前記印刷媒体に印刷する印刷部と
を有することを特徴とする印刷物製造装置。
【請求項４】
前記画像情報は、前記印刷物の所有者を撮影した撮影情報であることを特徴とする請求項２または請求項３記載の印刷物製造装置。
【請求項５】
印刷媒体に記録媒体が設けられるとともに画像情報が印刷された印刷物と、前記印刷物の記録媒体に記憶された情報を読み出すとともに前記画像情報を読み取る印刷物認証装置とからなる印刷物認証システムにおける印刷物認証装置であって、
前記印刷物から読み取られる読み取り情報から、前記読み取り情報に含まれる記号を抽出して記号情報を生成する記号情報抽出部と、
前記記号情報抽出部によって生成された記号情報と前記記録媒体から読み出される情報とを比較して認証を行う認証部と、
を有することを特徴とする印刷物認証装置。
【請求項６】
印刷媒体に画像情報が印刷された印刷物と、前記印刷物の画像情報を読み取る印刷物認証装置とからなる印刷物認証システムに用いられる印刷物認証装置であって、
前記印刷物から読み取られる読み取り情報から、前記読み取り情報に含まれる記号を抽出して記号情報を生成する記号情報抽出部と、
前記印刷物から読み取られる読み取り情報から検証対象となる画像領域内の画像情報を検証画像情報として抽出する画像抽出部と、
前記画像抽出部によって抽出された検証画像情報に含まれる電子透かし情報を抽出する電子透かし情報抽出部と、
前記記号情報抽出部によって抽出された記号情報と前記電子透かし情報抽出部によって抽出された電子透かし情報とを比較して認証を行う認証部と、
を有することを特徴とする印刷物認証装置。
【請求項７】
印刷媒体に記録媒体が設けられるとともに画像情報が印刷された印刷物と、前記印刷物の記録媒体に記憶された情報を読み出すとともに前記画像情報を読み取る印刷物認証装置とからなる印刷物認証システムにおける印刷物認証装置であって、
前記印刷物から読み取られる読み取り情報から、前記読み取り情報に含まれた記号を抽出して記号情報を生成する記号情報抽出部と、
前記印刷物から読み取られる読み取り情報から検証対象となる画像領域内の画像情報を検証画像情報として抽出する画像抽出部と、
前記画像抽出部によって抽出された検証画像情報に含まれる電子透かし情報を抽出する電子透かし情報抽出部と、
前記記号情報抽出部によって抽出された記号情報と前記電子透かし情報抽出部によって抽出された電子透かし情報と前記記録媒体から読み出された情報とを比較して認証する認証部と、
を有することを特徴とする印刷物認証装置。
【請求項８】
前記印刷物を利用する利用者を撮影した撮影情報が入力される撮影情報入力部を有し、
前記画像抽出部は、前記読み取り情報に含まれる顔写真の画像を検証画像情報として抽出し、
前記認証部は、さらに前記撮影情報入力部から入力される撮影情報と前記画像抽出部によって抽出された顔写真の画像である検証画像情報とを比較して認証を行うことを特徴とする請求項５または請求項６に記載の印刷物認証装置。
【請求項９】
記号が印刷されるとともに、該記号の一部または全部の情報を記憶する記録媒体が設けられたことを特徴とする印刷物。
【請求項１０】
記号と画像とが印刷される印刷物であって、
前記画像には、前記記号の一部または全部が電子透かしとして含まれて印刷されていることを特徴とする印刷物。
【請求項１１】
記録媒体が設けられるとともに、記号が印刷される印刷物であって、
前記記号の一部または全部の情報が前記記録媒体に記憶されているとともに、前記記号の一部または全部が電子透かしとして前記画像に含まれて印刷されていることを特徴とする印刷物。
【請求項１２】
情報を記憶する記録媒体が設けられる印刷媒体に印刷を行い、印刷物を製造する印刷物製造方法であって、
前記印刷媒体に印刷される記号情報の一部または全部を前記記録媒体に記憶することを特徴とする印刷物製造方法。
【請求項１３】
情報を記憶する記録媒体が設けられる印刷媒体に印刷を行い、印刷物を製造する印刷物製造方法であって、
前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成し、
生成された電子透かし画像情報に基づいて、前記印刷媒体に印刷する
ことを特徴とする印刷物製造方法。
【請求項１４】
情報を記憶する記録媒体が設けられる印刷媒体に印刷を行い、印刷物を製造する印刷物製造方法置であって、
前記印刷媒体に印刷される記号情報の一部または全部を前記記録媒体に記憶し、
前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成し、
生成された電子透かし画像情報に基づいて、前記印刷媒体に印刷する
ことを特徴とする印刷物製造方法。
【請求項１５】
印刷媒体に記録媒体が設けられるとともに画像情報が印刷された印刷物と、前記印刷物の記録媒体に記憶された情報を読み出すとともに前記画像情報を読み取る印刷物認証システムにおける印刷物認証方法であって、
前記印刷物から読み取られる読み取り情報から、前記読み取り情報に含まれる記号を抽出して記号情報を生成し、
生成された記号情報と前記記録媒体から読み出される情報とを比較して認証を行う
ことを特徴とする印刷物認証方法。
【請求項１６】
印刷媒体に画像情報が印刷された印刷物と、前記印刷物の画像情報を読み取る印刷物認証装置とからなる印刷物認証システムに用いられる印刷物認証方法であって、
前記印刷物から読み取られる読み取り情報から、前記読み取り情報に含まれる記号を抽出して記号情報を生成し、
前記印刷物から読み取られる読み取り情報から検証対象となる画像領域内の画像情報を検証画像情報として抽出し、
抽出された検証画像情報に含まれる電子透かし情報を抽出し、
抽出された記号情報と抽出された電子透かし情報とを比較して認証を行う
ことを特徴とする印刷物認証方法。
【請求項１７】
印刷媒体に記録媒体が設けられるとともに画像情報が印刷された印刷物と、前記印刷物の記録媒体に記憶された情報を読み出すとともに前記画像情報を読み取る印刷物認証装置とからなる印刷物認証システムにおける印刷物認証方法であって、
前記印刷物から読み取られる読み取り情報から、前記画像情報に含まれた記号を抽出して記号情報を生成し、
前記印刷物から読み取られる読み取り情報から検証対象となる画像領域内の画像情報を検証画像情報として抽出し、
抽出された検証画像情報に含まれる電子透かし情報を抽出し、
抽出された記号情報と抽出された電子透かし情報と前記記録媒体から読み出された情報とを比較して認証する
ことを特徴とする印刷物認証方法。
【発明の詳細な説明】
【０００１】
【発明の属する技術分野】
この発明は、印刷物の改ざんや不正使用を防止する印刷物製造装置、印刷物認証装置、印刷物、印刷物製造方法、印刷物認証方法に関するものである。
【０００２】
【従来の技術】
従来から、身分証明書やクレジットカードとして各種情報を印刷したＩＣカードや磁気カード、そしてパスポートなどの印刷物が利用されている。このＩＣカードは、内蔵されているＩＣチップに例えば、ＩＣカードの所有者の氏名、住所、有効期限などの個人の情報が記憶されるので、磁気カード等に比べて不正行為によるデータの読み取りが困難であり、安全性が高い。
このようなＩＣカードにおいて、不正なデータの読み取りを防止するために、例えば、パスワードや暗号化等を設定しておくことにより、セキュリティを向上させることが可能である。
また、身分証明書やクレジットカードにおいては、所有者以外の者にＩＣカードやパスポート等の印刷物が利用されてしまうことを防止するために、顔写真を印刷媒体（印刷物）に貼り付けることが行われている。これによれば、印刷物の利用者が印刷物の所有者本人であるか否かを目視で確認することができ、不正利用を防止することが可能である。
【０００３】
従来のカード発行システムにおいては、プラスチックカードに顔写真及び文字情報等をプリントした磁気カード及びＩＣカード等に間違いなくデータをエンコードするシステムがある（例えば、特許文献１参照）。
また、従来において、コントラスト変換や印刷等のＤ／Ａ（デジタル／アナログ）変換が行われても検出可能な電子透かしを合成する電子透かし合成装置がある。
【０００４】
【特許文献１】
特開２００１−２１６４７６号公報
【特許文献２】
特開２００２−６４７００号公報
【０００５】
【発明が解決しようとする課題】
しかしながら、上述した従来技術において、印刷物に記憶されているデータにパスワード等を設定する方法においては、パスワードを盗まれてデータが改ざんされてしまうことを防止しなければならない。また、ＩＣチップが何らかの原因で故障・破損してしまうと、データの読み出し等ができなくなる場合があり、カードが妥当なものであるか否かの判断が困難になる。
また、顔写真を印刷物に貼り付けたり、単に印刷する方法においては、顔写真そのものが張り替えられてしまったり、あるいは、印刷物に印字されている文字情報を顔写真に応じて書き換えられてしまうことによって不正利用されてしまうことを防止しなければならない。
また、印刷物が偽造されていないものであっても、第３者が正当な印刷物の所有者に成りすまして不正利用することを防止する必要がある。
【０００６】
また、特許文献１の技術では、カード発行時において、カードに印刷される顔写真及び文字情報と磁気カード及びＩＣカードに記憶されるデータとが対応付けられたカードの発行が可能になるが、カードが発行された後において、カードの改ざん等を防止するものではない。
また、特許文献２の技術では、コントラスト変換や印刷等のＤ／Ａ（デジタル／アナログ）変換の処理が行われても検出可能な電子透かしの合成方法について開示されているが、印刷物に記憶されたデータの改ざん防止や、印刷物に印刷された文字、顔写真などの正当性を検証して、印刷物が妥当なものであるか否かを検証する点について、具体的に示すものではない。
【０００７】
本発明は、このような事情に鑑みてなされたもので、その目的は、印刷物の正当性を高精度で確認することができる印刷物製造装置、印刷物認証装置、印刷物、印刷物製造方法、印刷物認証方法を提供することにある。
また、本発明は、印刷物の利用が第３者による不正使用であるか否かを把握することができる印刷物製造装置、印刷物認証装置、印刷物、印刷物製造方法、印刷物認証方法を提供することを目的とする。
【０００８】
【課題を解決するための手段】
上記目的を達成するために、本発明は、情報を記憶する記録媒体が設けられる印刷媒体に印刷を行い、印刷物を製造する印刷物製造装置であって、前記印刷媒体に印刷される記号情報の一部または全部を前記記録媒体に記憶する記号情報書き込み部を有することを特徴とする。
また、本発明は、情報を記憶する記録媒体が設けられる印刷媒体に印刷を行い、印刷物を製造する印刷物製造装置であって、前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成する電子透かし画像情報生成部と、前記電子透かし画像情報生成部が生成した電子透かし画像情報に基づいて、前記印刷媒体に印刷する印刷部とを有することを特徴とする。
【０００９】
また、本発明は、情報を記憶する記録媒体が設けられる印刷媒体に印刷を行い、印刷物を製造する印刷物製造装置であって、前記印刷媒体に印刷される記号情報の一部または全部を前記記録媒体に記憶する記号情報書き込み部と、前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成する電子透かし画像情報生成部と、前記電子透かし画像情報生成部が生成した電子透かし画像情報に基づいて、前記印刷媒体に印刷する印刷部とを有することを特徴とする。
また、本発明は、上述の印刷物製造装置において、前記画像情報は、前記印刷物の所有者を撮影した撮影情報であることを特徴とする。
【００１０】
また、本発明は、印刷媒体に記録媒体が設けられるとともに画像情報が印刷された印刷物と、前記印刷物の記録媒体に記憶された情報を読み出すとともに前記画像情報を読み取る印刷物認証装置とからなる印刷物認証システムにおける印刷物認証装置であって、前記印刷物から読み取られる読み取り情報から、前記読み取り情報に含まれる記号を抽出して記号情報を生成する記号情報抽出部と、前記記号情報抽出部によって生成された記号情報と前記記録媒体から読み出される情報とを比較して認証を行う認証部と、を有することを特徴とする。
【００１１】
また、本発明は、印刷媒体に画像情報が印刷された印刷物と、前記印刷物の画像情報を読み取る印刷物認証装置とからなる印刷物認証システムに用いられる印刷物認証装置であって、前記印刷物から読み取られる読み取り情報から、前記読み取り情報に含まれる記号を抽出して記号情報を生成する記号情報抽出部と、前記印刷物から読み取られる読み取り情報から検証対象となる画像領域内の画像情報を検証画像情報として抽出する画像抽出部と、前記画像抽出部によって抽出された検証画像情報に含まれる電子透かし情報を抽出する電子透かし情報抽出部と、前記記号情報抽出部によって抽出された記号情報と前記電子透かし情報抽出部によって抽出された電子透かし情報とを比較して認証を行う認証部と、を有することを特徴とする。
【００１２】
また、本発明は、印刷媒体に記録媒体が設けられるとともに画像情報が印刷された印刷物と、前記印刷物の記録媒体に記憶された情報を読み出すとともに前記画像情報を読み取る印刷物認証装置とからなる印刷物認証システムにおける印刷物認証装置であって、前記印刷物から読み取られる読み取り情報から、前記読み取り情報に含まれた記号を抽出して記号情報を生成する記号情報抽出部と、前記印刷物から読み取られる読み取り情報から検証対象となる画像領域内の画像情報を検証画像情報として抽出する画像抽出部と、前記画像抽出部によって抽出された検証画像情報に含まれる電子透かし情報を抽出する電子透かし情報抽出部と、前記記号情報抽出部によって抽出された記号情報と前記電子透かし情報抽出部によって抽出された電子透かし情報と前記記録媒体から読み出された情報とを比較して認証する認証部と、を有することを特徴とする。
【００１３】
また、本発明は、上述の印刷物認証装置において、前記印刷物を利用する利用者を撮影した撮影情報が入力される撮影情報入力部を有し、前記画像抽出部は、前記読み取り情報に含まれる顔写真の画像を検証画像情報として抽出し、前記認証部は、さらに前記撮影情報入力部から入力される撮影情報と前記画像抽出部によって抽出された顔写真の画像である検証画像情報とを比較して認証を行うことを特徴とする。
【００１４】
また、本発明は、記号が印刷されるとともに、該記号の一部または全部の情報を記憶する記録媒体が設けられたことを特徴とする。
また、本発明は、記号と画像とが印刷される印刷物であって、前記画像には、前記記号の一部または全部が電子透かしとして含まれて印刷されていることを特徴とする。
また、本発明は、記録媒体が設けられるとともに、記号が印刷される印刷物であって、前記記号の一部または全部の情報が前記記録媒体に記憶されているとともに、前記記号の一部または全部が電子透かしとして前記画像に含まれて印刷されていることを特徴とする。
【００１５】
また、本発明は、情報を記憶する記録媒体が設けられる印刷媒体に印刷を行い、印刷物を製造する印刷物製造方法であって、前記印刷媒体に印刷される記号情報の一部または全部を前記記録媒体に記憶することを特徴とする。
【００１６】
また、本発明は、情報を記憶する記録媒体が設けられる印刷媒体に印刷を行い、印刷物を製造する印刷物製造方法であって、前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成し、生成された電子透かし画像情報に基づいて、前記印刷媒体に印刷することを特徴とする。
【００１７】
また、本発明は、情報を記憶する記録媒体が設けられる印刷媒体に印刷を行い、印刷物を製造する印刷物製造方法置であって、前記印刷媒体に印刷される記号情報の一部または全部を前記記録媒体に記憶し、前記印刷媒体に印刷される記号情報の一部または全部の情報と前記記録媒体に印刷される画像情報とに基づいて、前記画像情報に前記記号情報の一部または全部の情報が電子透かし情報として含まれた電子透かし画像情報を生成し、生成された電子透かし画像情報に基づいて、前記印刷媒体に印刷することを特徴とする。
【００１８】
また、本発明は、印刷媒体に記録媒体が設けられるとともに画像情報が印刷された印刷物と、前記印刷物の記録媒体に記憶された情報を読み出すとともに前記画像情報を読み取る印刷物認証システムにおける印刷物認証方法であって、前記印刷物から読み取られる読み取り情報から、前記読み取り情報に含まれる記号を抽出して記号情報を生成し、生成された記号情報と前記記録媒体から読み出される情報とを比較して認証を行うことを特徴とする。
【００１９】
また、本発明は、印刷媒体に画像情報が印刷された印刷物と、前記印刷物の画像情報を読み取る印刷物認証装置とからなる印刷物認証システムに用いられる印刷物認証方法であって、前記印刷物から読み取られる読み取り情報から、前記読み取り情報に含まれる記号を抽出して記号情報を生成し、前記印刷物から読み取られる読み取り情報から検証対象となる画像領域内の画像情報を検証画像情報として抽出し、抽出された検証画像情報に含まれる電子透かし情報を抽出し、抽出された記号情報と抽出された電子透かし情報とを比較して認証を行うことを特徴とする。
【００２０】
また、本発明は、印刷媒体に記録媒体が設けられるとともに画像情報が印刷された印刷物と、前記印刷物の記録媒体に記憶された情報を読み出すとともに前記画像情報を読み取る印刷物認証装置とからなる印刷物認証システムにおける印刷物認証方法であって、前記印刷物から読み取られる読み取り情報から、前記画像情報に含まれた記号を抽出して記号情報を生成し、前記印刷物から読み取られる読み取り情報から検証対象となる画像領域内の画像情報を検証画像情報として抽出し、抽出された検証画像情報に含まれる電子透かし情報を抽出し、抽出された記号情報と抽出された電子透かし情報と前記記録媒体から読み出された情報とを比較して認証することを特徴とする。
【００２１】
【発明の実施の形態】
以下、本発明の一実施形態による印刷物製造装置、印刷物認証装置、印刷物を図面を参照して説明する。図１は、この発明の一実施形態による印刷物認証システムの構成を示す概略図である。
この図において、印刷物認証システムは、印刷物の製造を行う印刷物製造装置１、印刷物の一例としてのＩＣカード３、印刷物（ＩＣカード３）の認証や印刷物（ＩＣカード３）を利用するユーザの認証を行う印刷物認証装置２、とから構成される。
ＩＣカード３は、印刷物製造装置１によって製造される印刷物である。ここでいう印刷物とは、印刷媒体に記号が印刷されるとともに、該記号の一部または全部の情報を記憶する記録媒体が該印刷媒体に設けられるものである。ここでいう記号とは、印刷媒体の印刷面に記述される記号列であり、例えば、文字、記号、ロゴ、マーク等である。この記号によって表現される内容の一例としては、印刷物の所有者の個人データであり、例えば、住所、氏名、年齢、生年月日、連絡先、発行日、所属（印刷物が社員証である場合）、社員番号（印刷物が社員証である場合）などの情報が含まれる。
【００２２】
印刷媒体の一例としては、プラスチックカード、紙媒体やフィルム等がある。また、ここでいう記録媒体とは、記号の一部または全部の情報を記憶できればよく、例えば、印刷物がＩＣカードである場合、ＩＣチップのメモリであり、印刷物が磁気カードである場合、磁気テープ部分に相当する。
また、印刷物は、印刷媒体に記号と画像とが印刷されており、該画像には、電子透かし技術を用いて記号の一部または全部が電子透かし情報として含まれて印刷されている。この画像は、ロゴやマークなどでもよいが、印刷物の所有者を特定しやすいように印刷物の正当な所有者の顔を撮影した画像であることが望ましい。この撮影した画像のデータについて、この実施形態では、「顔写真」として説明する。
【００２３】
上述の印刷物の一例として、この実施形態においては、図１に示すように、ＩＣカード３が適用されている。このＩＣカード３は、記録媒体の一例としてのＩＣチップ３１が設けられているとともに、記号の一例となる文字情報３２、画像の一例としての顔写真３３が印刷面に印刷されている。
この実施形態においては、印刷物に記録媒体と画像とが両方存在する場合について説明するが、記号が印刷されていれば、記録媒体と画像とのうち、いずれか一方のみが存在するようにしてもよい。
また、印刷物としては、ＩＣカード３に限られることなく、磁気カード、免許証、パスポート、社員証、学生証などを適用することが可能である。
【００２４】
次に、印刷物製造装置１、印刷物認証装置２、図面を用いて説明する。
図２は、この発明の一実施形態による印刷物製造装置１の構成を示す概略ブロック図である。
この図において、発行データ記憶部１１は、印刷媒体を発行するために必要となる発行データを記憶しており、例えば、この発行データは印刷媒体に記号を印刷するための情報である記号情報、画像を印刷するための情報である画像情報、記号や画像を印刷するレイアウトやフォントを決定する情報である印刷制御情報などを発行対象の所有者ごとに記憶している。ここで、画像情報は、印刷物の所有者を撮影した撮影情報（例えば、顔写真の画像情報）である。
【００２５】
データ管理部１２は、印刷物の印刷を行う場合、発行データ記憶部１１から発行データを読み出し、読み出した発行データのうち、印刷制御情報を印刷部１５に出力し、記号情報の一部または全部を記号情報書き込み部１３と電子透かし画像情報生成部１４とに出力し、画像情報を電子透かし画像情報生成部１４に出力する。データ管理部１２は、記号情報書き込み部１３と電子透かし画像情報生成部１４とに出力される記号情報は、同じ情報であってもよく、異なる情報であってもよい。例えば、記号情報の全部を書き込み部１３と電子透かし画像情報生成部１４とのうちいずれか一方に出力し、他方に記号情報の一部を出力してもよい。また、記号情報のうち、氏名と住所を記号情報書き込み部１３に出力し、発行日と生年月日とを電子透かし画像情報生成部１４に出力するようにしてもよい。
【００２６】
記号情報書き込み部１３は、データ管理部１２から出力される、印刷媒体に印刷される記号情報の一部または全部を印刷媒体に設けられている記録媒体に記憶する。
電子透かし画像情報生成部１４は、データ管理部１２から出力される、印刷媒体に印刷される記号情報の一部または全部と画像情報とに基づいて、画像情報に記号情報の一部または全部からなる電子透かし情報を含めて電子透かし画像情報を生成する。
印刷部１５は、電子透かし画像情報生成部１４が生成した電子透かし画像情報とデータ管理部１２から出力される印刷制御情報と記号情報とに基づいて、所定の印刷媒体に印刷する。この印刷部１５は、例えば、印刷機やプリンタなどが適用される。
【００２７】
次に、図１における印刷物認証装置２について図面を用いて説明する。図３は、この発明の一実施形態による印刷物認証装置２の構成を示す概略ブロック図である。
この図において、画像読み取り部２１は、印刷物認証装置２に挿入される印刷物の印刷面に印刷内容を光学的に読み取り、読み取り情報を生成する。この読み出された読み取り情報には、印刷物に印刷されている記号情報と画像情報とが含まれる。この画像読み取り部２１は、例えば、スキャナやデジタルカメラ、ＣＣＤカメラ等である。
解析部２２は、読み取り情報から記号領域と画像領域とを検出し、記号情報抽出部２２１と画像抽出部２２２とによって、画像読み取り部２１から出力される読み取り情報の解析を行う。この記号領域とは、印刷物に記号情報が印刷された領域であり、画像領域とは、印刷物に電子透かし画像情報が印刷された領域である。領域の検出は、予め指定してあってもよいし、読み取り情報から領域を特定できるようにしてもよい。
【００２８】
記号情報抽出部２２１は、印刷物から読み取られる読み取り情報から、記号領域に含まれた記号を抽出して記号情報を生成し、認証部２６に出力する。
画像抽出部２２２は、印刷物から読み取った読み取り情報から検証対象となる画像領域内の画像を検証画像情報として抽出する。
電子透かし情報抽出部２３は、画像抽出部２２２によって抽出された検証画像情報に含まれる電子透かし情報を抽出して、認証部２６に出力する。
【００２９】
カードリーダ２４は、印刷物に設けられた記録媒体に記録されている記録情報を読み出し、認証部２６に出力する。
撮影情報入力部２５は、印刷物を利用する利用者を撮影している撮影情報を入力とし、認証部２６に出力する。
認証部２６は、記号情報抽出部２２１によって抽出された記号情報と電子透かし情報抽出部２３によって抽出された電子透かし情報とカードリーダ２４によって記録媒体から読み出された記録情報とを比較して認証する。さらに、認証部２６は、読み取り情報に含まれる顔写真の画像から画像抽出部２２２よって、抽出される検証画像情報と撮影情報入力部２５から入力される撮影情報とを比較して認証を行う。
認証部２６は、記号情報の一部が記録媒体に記憶されている場合において、記号情報とカードリーダ２４によって読み出された情報とを比較して照合する場合、記号情報の一部にカードリーダ２４によって読み出された情報が一致するか否かの検出を行う。また、認証部２６は、記号情報の一部が電子透かし情報として顔写真に埋め込まれている場合において、記号情報と電子透かし情報とを比較して照合を行う場合、記号情報の一部に電子透かし情報が一致するか否かの検出を行う。
【００３０】
次に、上述の構成における印刷物製造装置１、印刷物認証装置２の動作について順に説明する。この実施形態においては、印刷物がＩＣカード３である場合について説明する。
１）印刷物の製造について
まず、図２における印刷物製造装置１が印刷物を製造する場合について説明する。
図４および図５は、図２における印刷物製造装置１が印刷物を製造する動作について説明するためのフローチャートである。
まず、発行すべき印刷物レイアウトに基づいて、カード作成の作業者によってカードレイアウトが印刷制御情報として作成され（図４ステップＳ１１）、発行データ記憶部１１に記憶される（図４ステップＳ１２）。さらに、作業者によって、カードの所有者となる者に関する個人データ（記号情報に該当）と顔写真（画像情報に該当）とからなる個人情報が印刷制御情報に対応付けられて、発行データとして発行データ記憶部１１に記憶される（図４ステップＳ１３、図５ステップＳ２１）。
発行データが発行データ記憶部１１に記憶された後、外部から印刷物の印刷指示が入力されると、データ管理部１２は、発行データ記憶部１１に記憶された発行データを読み出し、読み出した発行データのうち、個人データと顔写真とを電子透かし画像情報生成部１４に出力する。
【００３１】
電子透かし画像情報生成部１４は、データ管理部１２から出力された個人データと顔写真とに基づいて、個人データから電子透かし情報を生成して顔写真に埋め込んで電子透かし画像情報を生成し（図４ステップＳ１４、図５ステップＳ２２）、印刷部１５に出力する（図４ステップＳ１５）。
電子透かし画像情報が生成された後、データ管理部１２は、個人データを記号情報書き込み部１３に出力し、印刷制御情報と個人データを印刷部１５に出力する（図４ステップＳ１６）。
【００３２】
データ管理部１２から個人データが出力されると、記号情報書き込み部１３は、印刷物製造装置１にＩＣカード３がセットされた後（図５ステップＳ２３）、セットされたＩＣカード３のＩＣチップ（記録媒体に該当）に個人データを記憶させる（図４ステップＳ１７、図５ステップＳ２４）。ＩＣチップに個人データが記憶されると、印刷部１５は、ＩＣチップに個人データが記憶されたＩＣカード３の印刷面に、印刷制御情報に基づいて、個人データを印刷するとともに、電子透かし情報が付加された顔写真である電子透かし画像情報を印刷する（図４ステップＳ１８、図５ステップＳ２５）。そして、印刷が完了したＩＣカード３は、所有者あてに発行され、利用される（図４ステップＳ１９、図５ステップＳ２６）。
【００３３】
図４、図５のフローチャートに従って、製造されたＩＣカード３は、例えば、図６に示すように、所有者の氏名「山田太郎」と社員番号に相当する番号「０００００１」とが所有者の顔写真と対応づけられた個人情報のうち、個人データとして券面（印刷媒体の印刷面）に記号情報としてＩＣカード３に印刷されるとともにＩＣチップに記憶される。さらに、個人データが電子透かし情報として埋め込まれた顔写真が電子透かし入り顔写真として券面に印刷される。
【００３４】
２）印刷物の認証について
次に、図３に示す印刷物認証装置２が印刷物の認証を行う場合について説明する。
図７、図８、図９は、図３における印刷物認証装置２が印刷物の認証を行う場合について説明するためのフローチャートである。
発行されたＩＣカード３が印刷物認証装置２に挿入されると、画像読み取り部２１は、ＩＣカード３の券面を読み取ってデジタル画像化し、読み取り情報を生成し（図７ステップＳ３１）、解析部２２に出力する。解析部２２は、画像領域と記号領域と検出する（図７ステップＳ３２、図８ステップＳ２）。次いで、解析部２２は、記号情報抽出部２２１によって記号領域内の記号を抽出して記号情報を生成し（図７ステップＳ３３、図８ステップＳ５３）、生成した記号情報を認証部２６に出力するとともに、画像抽出部２２２によって画像領域内の画像を抽出して検証画像情報を生成し、電子透かし情報抽出部２３に出力する。電子透かし情報抽出部２３は、解析部２２から出力された検証画像情報から電子透かし情報を抽出し（図７ステップＳ３４、図８ステップＳ５４）、認証部２６に出力するとともに、検証画像情報または、電子透かし情報が抽出された後の画像を顔写真として認証部２６に出力する。検証画像情報を用いてもよいが、電子透かし情報による画像の劣化を除いた画像を用いることにより、より鮮明な画像が得られる。
【００３５】
一方、カードリーダ２４は、ＩＣカード３のＩＣチップに記憶されている記録情報を読み出して認証部２６に出力する（図７ステップＳ、図８ステップＳ５５）。
他方、デジタルカメラ等の撮影情報入力部２５によってカード利用者の顔が撮影され（図７ステップＳ３６、図８ステップＳ５６）、撮影された情報が撮影情報として入力されると、撮影情報入力部２５は、撮影情報を認証部２６に出力する。
【００３６】
認証部２６は、カードリーダ２４から出力された記録情報と記号情報抽出部２２１から出力された記号情報とを比較して一致しているか否かを照合し（図７ステップＳ３７）、電子透かし情報抽出部２３から出力された電子透かし情報と記号情報抽出部２２１から出力された記号情報とを比較して一致しているか否かを照合し（図７ステップＳ３８）、さらに、撮影情報入力部２５から出力された撮影情報と電子透かし情報抽出部２３から出力された顔写真とを比較して一致するか否かを照合する（図７ステップＳ３９、図ステップＳ５８）。そして、認証部２６は、ＩＣチップから読み出された記録情報と記号情報、記号情報と電子透かし情報、撮影情報と顔写真、とがそれぞれ全て一致していたか否かを検出する（図７ステップＳ４０、図８ステップＳ５７）。
【００３７】
検出結果において、全て一致している場合、認証部２６は、認証が正常に行われたことを示す成功メッセージを出力する（図ステップＳ４１）。一方、ＩＣチップから読み出された記録情報と記号情報、記号情報と電子透かし情報、撮影情報と顔写真とのうち、いずれか１つでも一致していないことが検出された場合、認証が成立しなかったことを示す警告メッセージ出力する（図７ステップＳ４２）。
【００３８】
図７、図８のフローチャートに従って、ＩＣカード３について認証が行われた場合、図９に示すように、画像読み取り部２１によって読み取りが行われ、生成された読み取り情報（図９符号（a））は、解析部２２によって、記号領域内（図９符号（ｂ））から記号領域内の画像（図９符号（ｄ））が抽出され、文字認識され（図９符号（ｅ））、文字データ（記号情報ともいう）が生成される（図９符号（ｆ））。また、生成された読み取り情報（図９符号（a））は、解析部２２によって、画像領域内（図９符号（ｃ））から画像領域内の画像（図９符号（ｇ））が抽出され、抽出された画像から、電子透かし情報抽出部２３によって、電子透かし情報が抽出されるとともに（図９符号（ｈ））、顔写真が抽出される（図９符号（ｉ））。
【００３９】
そして、認証部２６によって、記号領域から抽出された文字データとＩＣチップから読み出された記録情報とが照合されるとともに（図１０符号（ｊ））、記号領域から抽出された文字データと顔写真領域内から抽出された電子透かし情報とが照合される（図１０符号（ｋ））。これにより、ＩＣカード３に印刷されている文字データが偽造・改ざんされているか否か、ＩＣチップに記憶されてデータが偽造・改ざんされているか否か、顔写真が張り替えされているか否かを検出することが可能である（図１０符号（ｌ））。
【００４０】
さらに、ＩＣカード３を利用しようとしているユーザの顔をデジタルカメラによって撮影し、撮影された画像とＩＣカード３に印刷された顔写真とを照合することにより（図１０符号（ｍ））、ＩＣカード３を利用しようとしているユーザが、ＩＣカード３の正当な所有者であるか否かを検出することができる（図１０符号（ｎ））。
【００４１】
なお、以上説明した実施形態における印刷物製造装置１は、記号情報の一部または全部を用いて電子透かし情報を生成して顔写真に埋め込んだり、ＩＣチップに記憶するようにしたが、データ管理部１２が、記号情報の一部または全部に対して一定のデータ処理を行った後に電子透かし情報の生成やＩＣチップへの記憶を行わせるようにしてもよい。ここでいう一定の処理とは、例えば、ハッシュ関数を用いて、記号情報の一部または全部に基づいてハッシュ値を生成し、電子透かし情報の生成やＩＣチップへの記憶を行うようにしてもよい。これにより、電子透かし情報に用いる情報量を圧縮して取り扱う情報量を削減し、顔写真の画質が劣化してしまうことを低減させることができる。また、記号情報を暗号化して認証に用いることができるので、改ざん防止効果を向上させることができる。
【００４２】
また、以上説明した実施形態において、認証部２６は、ＩＣチップから読み出された情報と記号情報抽出部２２１によって抽出された記号情報との照合、記号情報抽出部２２１によって抽出された記号情報と電子透かし情報抽出部２３から出力される電子透かし情報との照合、撮影情報入力部２５から入力される撮影情報と検証画像情報または電子透かし情報が抽出された後の顔写真との照合を行う場合について説明した。しかし、記号情報抽出部２２１によって抽出された記号情報を利用して照合をおこなうことができれば、必ずしも全ての照合を行わなくてもよい。例えば、以下に示す組み合わせによる照合により、認証を行ってもよい。
ａ）ＩＣチップから読み出された記録情報と記号情報抽出部２２１によって抽出された記号情報との照合のみを行う。
ｂ）記号情報抽出部２２１によって抽出された記号情報と電子透かし情報抽出部２３から出力される電子透かし情報との照合のみを行う。
ｃ）ＩＣチップから読み出された記録情報と記号情報抽出部２２１によって抽出された記号情報との照合および、記号情報抽出部２２１によって抽出された記号情報と電子透かし情報抽出部２３から出力される電子透かし情報との照合を行う。
【００４３】
また、上述の実施形態においては、ＩＣチップに記憶する記号情報と電子透かし情報として顔写真に埋め込む記号情報とが同じである場合について説明したが、必ずしも同じにする必要はない。
【００４４】
また、以上説明した実施形態において、画像読み取り部２１によって印刷物の読み取りを行い、解析部２２によって記号情報の抽出と画像の抽出を行うようにしたので、印刷物の印刷面（券面）を１度スキャニングすることにより、記号情報と電子透かしを構成する画像情報とを得ることができ、これにより、印刷面を１度読み取るだけで印刷物の認証を行うことが可能となり、ＩＣチップに記憶された情報の読み出しを行うことなく印刷物の認証を行うことができる。
【００４５】
また、図２におけるデータ管理部１２、記号情報書き込み部１３、電子透かし画像情報生成部１４、印刷部１５の機能を実現するためのプログラム、図３における画像読み取り部２１、解析部２２、記号情報抽出部２２１、画像抽出部２２２、電子透かし情報抽出部２３、カードリーダ２４、撮影情報入力部２５、認証部２６の機能を実現するためのプログラムをコンピュータ読み取り可能な記録媒体に記録して、この記録媒体に記録されたプログラムをコンピュータシステムに読み込ませ、実行することにより印刷物の製造処理、印刷物の認証処理を行ってもよい。なお、ここでいう「コンピュータシステム」とは、ＯＳや周辺機器等のハードウェアを含むものとする。
【００４６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４７】
以上、この発明の実施形態を図面を参照して詳述してきたが、具体的な構成はこの実施形態に限られるものではなく、この発明の要旨を逸脱しない範囲の設計等も含まれる。
【００４８】
【発明の効果】
以上説明した発明によれば、印刷物の正当性を高精度で確認することができ、印刷物の改ざん、偽造を検出し、印刷物の不正利用を防止することができる。
また、印刷物の利用が第３者による不正使用であるか否かを把握することが可能であり、成りすましを防止することができる。
【００４９】
また、この発明によれば、印刷媒体に印刷される記号情報の一部または全部を記録媒体に記憶するようにしたので、記号情報または記録媒体に記憶される情報が改ざんされているか否かについて検出することが可能な印刷物を実現し、印刷物の改ざん・偽造を防止することができる。
【００５０】
また、この発明によれば、印刷媒体に印刷される記号情報の一部または全部の情報を電子透かしとして記録媒体に印刷される画像情報に埋め込むようにしたので、記号情報または画像情報が改竄されているか否かについて検出することが可能な印刷物を実現し、これにより印刷物の改ざん・偽造を防止し、印刷物の信頼性を向上させることができる。
【００５１】
また、この発明によれば、印刷媒体に印刷される記号情報の一部または全部を記録媒体に記憶し、印刷媒体に印刷される記号情報の一部または全部の情報と記録媒体に印刷される画像情報とに基づいて、画像情報に記号情報の一部または全部の情報が電子透かし情報として含まれた電子透かし画像情報を生成して印刷媒体に印刷するようにしたので、印刷物の記号情報、記録媒体に記憶された情報、印刷物に印刷された画像のうちのいずれかが偽造、改ざんされていないかを検出することができるとともに、画像の張り替えが行われているかを検出することができる印刷物を製造することができる。これにより、偽造・改ざんを抑止し、信頼性を向上させた印刷物を製造することができる。
【００５２】
また、本発明は、印刷物を読み取って、記号を抽出して記号情報を生成し、生成された記号情報と記録媒体から読み出される情報とを比較するようにしたので、記号情報あるいは記録媒体に記憶された情報が改ざんされているか否かを検出でき、これにより、印刷物における記号情報と記録媒体に記憶された情報とについて改ざん・偽造を防止することができる。
【００５３】
また、本発明は、印刷物を読み取って、記号を抽出して記号情報を生成し、読み取った情報から検証対象となる画像領域内の画像情報を抽出し、抽出された検証画像情報から電子透かし情報を抽出し、抽出された記号情報と電子透かし情報とを比較するようにしたので、記号情報あるいは画像情報について改竄されているか否かを検出でき、これにより、印刷物における記号情報と画像情報について改ざん・偽造を防止することができる。
【００５４】
また、本発明によれば、印刷物から読み取られる読み取り情報から、読み取り情報に含まれた記号を抽出して記号情報を生成し、読み取り情報から検証対象となる画像領域内の画像情報を検証画像情報として抽出し、画像抽出部によって抽出された検証画像情報に含まれる電子透かし情報を抽出し、抽出された記号情報と電子透かし情報抽出部によって抽出された電子透かし情報と記録媒体から読み出された情報とを比較して認証するようにしたので、印刷物の記号情報、記録媒体に記憶された情報、印刷物に印刷された画像のうちのいずれかが偽造、改ざんを検出することができるとともに、画像の張り替えが行われているかを検出することができ、これにより、偽造・改ざんを抑止することができるとともに、印刷物の信頼度を高め、印刷物の普及を促進することができる。
【００５５】
また、本発明によれば、印刷物を利用する利用者が撮影された撮影情報を入力し、読み取り情報に含まれる顔写真の画像と撮影情報とを比較して認証を行うようにしたので、成りすましによる不正利用がなされていないかを精度よく確認することができる。
【図面の簡単な説明】
【図１】この発明の一実施形態による印刷物認証システムの構成を示す概略図である。
【図２】この発明の一実施形態による印刷物製造装置１の構成を示す概略ブロック図である。
【図３】この発明の一実施形態による印刷物認証装置２の構成を示す概略ブロック図である。
【図４】図２における印刷物製造装置１が印刷物を製造する動作について説明するためのフローチャートである。
【図５】図２における印刷物製造装置１が印刷物を製造する動作について説明するためのフローチャートである。
【図６】印刷物製造装置１によって製造された印刷物について説明するための図面である。
【図７】図３における印刷物認証装置２が印刷物の認証を行う場合について説明するためのフローチャートである。
【図８】図３における印刷物認証装置２が印刷物の認証を行う場合について説明するためのフローチャートである。
【図９】図３における印刷物認証装置２が印刷物の認証を行う場合について説明するためのフローチャートである。
【図１０】図３における印刷物認証装置２が印刷物の認証を行う場合の一例を説明するための図面である。
【符号の説明】
１  印刷物製造装置                ２  印刷物認証装置
３  ＩＣカード                    １１  発行データ記憶部
１２  データ管理部                １３  記号情報書き込み部
１４  電子透かし画像情報生成部    １５  印刷部
２１  画像読み取り部              ２２  解析部
２３  電子透かし情報抽出部        ２４  カードリーダ
２５  撮影情報入力部              ２６  認証部
２２１  記号情報抽出部            ２２２  画像抽出部
【図１】
2004202766.tif 000003
【図２】
2004202766.tif 000004
【図３】
2004202766.tif 000005
【図４】
2004202766.tif 000006
【図５】
2004202766.tif 000007
【図６】
2004202766.tif 000008
【図７】
2004202766.tif 000009
【図８】
2004202766.tif 000010
【図９】
2004202766.tif 000011
【図１０】
2004202766.tif 000012